(57)【要約】      （修正有）【課題】良好な構造信頼性及び比較的長い寿命を有するソーラーパネルモジュールを提供する。【解決手段】ソーラーパネルモジュール１００は、蓋板１１０と、背面板１２０と、少なくとも２つのソーラーパネル１３０と、少なくとも１つの暗色絶縁層１４０と、を含む。そのうち、該ソーラーパネル１３０は、該蓋板１１０及び該背面板１２０の間に挟んで置かれ、且つ一方向に沿って間隔を置いて配列され、そのうち、２つの隣り合うソーラーパネル１３０の間に分離ギャップＧを有し、且つ距離を隔て、該暗色絶縁層１４０は、該分離ギャップＧに配置される。【選択図】図１
0003207808.tif 000002
【実用新案登録請求の範囲】
【請求項１】
蓋板と、
背面板と、
前記蓋板及び前記背面板の間に挟んで置かれ、且つ一方向に沿って間隔を置いて配列される少なくとも２つのソーラーパネルと、
少なくとも１つの暗色絶縁層と、
を含み、
２つの隣り合う前記ソーラーパネルの間に分離ギャップを有し、且つ互いに距離を隔て、
前記少なくとも１つの暗色絶縁層は、前記分離ギャップに配置される、ソーラーパネルモジュール。
【請求項２】
前記暗色絶縁層は、連続シート状絶縁体であり、該分離ギャップ中に充填される請求項１に記載のソーラーパネルモジュール。
【請求項３】
前記暗色絶縁層及び前記少なくとも２つのソーラーパネルのうち１つのソーラーパネルの辺縁の少なくとも一部分が重なり合う請求項１に記載のソーラーパネルモジュール。
【請求項４】
各前記暗色絶縁層は、前記少なくとも２つのソーラーパネルのうち１つのソーラーパネルの辺縁が前記分離ギャップに延伸し、且つ該分離ギャップの延伸距離は、該距離の２分の１より大きい請求項１に記載のソーラーパネルモジュール。
【請求項５】
前記暗色絶縁層は、対応する前記ソーラーパネルの上縁又は下縁との重なり合いである請求項１に記載のソーラーパネルモジュール。
【請求項６】
前記分離ギャップに充填する透明パッケージ材を更に含み、且つ前記透明パッケージ材は、暗色絶縁層の分けられた二辺に大部分の体積をもたせる請求項１に記載のソーラーパネルモジュール。
【請求項７】
前記暗色絶縁層の色は、前記ソーラーパネルとの吸熱度の差異が大きくないものである請求項１に記載のソーラーパネルモジュール。
【考案の詳細な説明】
【技術分野】
【０００１】
本考案は、エネルギーモジュールに関し、特に、ソーラーパネルモジュールに関する。
【背景技術】
【０００２】
太陽電池は、グリーンエネルギーとして人々の日常生活に広く応用されている。太陽電池は、通常大量のソーラーパネルの使用を必要とし、常用のソーラーパネルの敷設方式は、ソーラーパネルを電池モジュールに配列するものであり、２つの隣り合うソーラーパネルの間は、更に透明パッケージ材により接続固定の作業を行う。しかしながら、太陽電池の２つの隣り合うソーラーパネルは、暗色物体であるので容易に吸熱し、従って、太陽電池の稼働過程において、２つの隣り合うソーラーパネルの間に配置する透明パッケージ材の吸熱程度とソーラーパネルの吸熱程度は、明らかな差異がある。更に、上記吸熱程度の明らかな差異は、太陽電池に局部的な熱の応力の不均一の現象を生じさせ、更には、その組み立て貼合関係を劣化又は剥離させ、その信頼性に影響を及ぼす。
【０００３】
特に、現在のソーラーパネルは、一定の構造の厚さを有し、伴って、２つの隣り合うソーラーパネルの間の透明パッケージ材も比較的大きな充填空間を有し、従って、比較的大きな充填体積を有する。従って、熱膨張冷凝縮の状況において、比較的大きな充填体積を有する透明パッケージ材及びソーラーパネルの間の熱応力の不均一の現象を更に明らかにさせ、太陽電池の使用寿命を大幅に短縮させる。
【考案の概要】
【考案が解決しようとする課題】
【０００４】
本考案の目的は、良好な構造信頼性及び比較的長い寿命を有するソーラーパネルモジュールを提供することにある。
【課題を解決するための手段】
【０００５】
上記の目的を達成する為、本考案のソーラーパネルモジュールは、蓋板と、背面板と、少なくとも２つのソーラーパネルと、少なくとも１つの暗色絶縁層と、を含む。そのうち、該ソーラーパネルは、該蓋板及び該背面板の間に挟んで置かれ、且つ一方向に沿って間隔をおいて配列され、そのうち、２つの隣り合う該ソーラーパネルの間に分離ギャップを有し、且つ互いに距離を隔てる。該暗色絶縁層は、該分離ギャップに配置される。
【０００６】
本考案の実施例に基づき、該暗色絶縁層は、連続シート状絶縁体であり、該分離ギャップ中に充填される。
【０００７】
本考案の実施例に基づき、該ソーラーパネルは、ケイ素(Si)、テルル化カドミウム(CdTe)、銅インジウムガリウムセレン(CIGS)又はその組み合わせを含む薄膜型ソーラーパネルである。
【０００８】
本考案の実施例に基づき、該暗色絶縁層及び該ソーラーパネルの辺縁の少なくとも一部分が重なり合う。
【０００９】
本考案の実施例に基づき、各該暗色絶縁層は、該ソーラーパネルの辺縁は、該分離ギャップに延伸し、且つ該分離ギャップの延伸距離は、該距離の２分の１より大きい。
【００１０】
本考案の実施例に基づき、各該暗色絶縁層は、暗色絶縁体を混入させた透明パッケージ材である。
【００１１】
本考案の実施例に基づき、該暗色絶縁層は、対応する該ソーラーパネルの上縁又は下縁の一つが重なり合う。
【００１２】
本考案の実施例に基づき、該分離ギャップに充填する透明パッケージ材を更に含み、且つ該透明パッケージ材は、暗色絶縁層の分けられた二辺に、大部分の体積をもたせる。
【００１３】
本考案の実施例に基づき、該暗色絶縁層の色は、該ソーラーパネルの吸熱程度の差異が大きくないものである。
【００１４】
本考案の実施例に基づき、該蓋板及び該背板は、ガラス材である。
【考案の効果】
【００１５】
上記に基づき、本考案は、２つの隣り合う該ソーラーパネルの間に少なくとも１つ暗色絶縁層を設置し、該暗色絶縁層の色は、例えば、ソーラーパネルの色と実質的に同一である。このように、太陽電池は、稼働過程において、２つの隣り合うソーラーパネルの間の暗色絶縁層の吸熱程度とソーラーパネルの吸熱程度は、明らかな差異がなく、太陽電池中に局部的に熱応力が不均一な現象を生じさせることがない。従って、本考案のソーラーパネルモジュールは、良好な信頼性を有する。伴って比較的長い使用寿命も有する。
【図面の簡単な説明】
【００１６】
【図１】本考案の好適実施例のソーラーパネルモジュールの説明図である。
【図２】本考案のもう１つの好適実施例のソーラーパネルモジュールの説明図である。
【図３】本考案の更にもう１つの好適実施例のソーラーパネルモジュールの説明図である。
【図４】本考案のまた更にもう１つの好適実施例のソーラーパネルモジュールの説明図である。
【図５】本考案のまた更にもう１つの好適実施例のソーラーパネルモジュールの説明図である。
【考案を実施するための形態】
【００１７】
当業者に本考案の技術内容を更に理解させるため、以下に好適実施例を挙げて説明する。
【００１８】
図１は、本考案の好適実施例のソーラーパネルモジュールの説明図である。図１を参照し、本実施例のソーラーパネルモジュール１００は、蓋板１１０、背面板１２０、少なくとも２つのソーラーパネル１３０及び少なくとも１つの暗色絶縁層１４０を含む。本実施例において、蓋板１１０及び背面板１２０は、例えば、ガラス材質であり、それは、ソーラーパネル１３０との間に透明パッケージ材、例えば、エチレン酢酸ビニル（Ethylene Vinyl Acetate，EVA）、ポリオレフィン（polyolefin, PO）、ポリビニルブチラール（polyvinyl butyral , PVB）などの熱パッケージ材(thermal encapsulant)、又はＵＶ硬化接着剤(UV curable encapsulant)、又はシリコーン(Silicone)、又は上記の組み合わせを用いて互いに貼合する。また、ソーラーパネル１３０の数量は、２つを例として説明を行い、これらのソーラーパネル１３０、例えば、１３０Ａ及び１３０Ｂであり、ソーラーパネル１３０Ａ、１３０Ｂは、蓋板１１０及び背面板１２０の間に挟んで置かれ、且つ一方向に沿って間隔をおいて配列され、従って、２つの隣り合うソーラーパネル１３０Ａ、１３０Ｂの間に分離ギャップを有し、且つ２つの隣り合うソーラーパネル１３０Ａ、１３０Ｂは、互いに距離Ｄを隔てる。また、暗色絶縁層１４０は、分離ギャップＧに配置される。暗色絶縁層は、暗色の絶縁体、例えば、色素を混入したポリエチレン(Polyethylene, PE)、ポリアミド(Polyamide, PA)、ポリスチレンテレフタレート(Polyethylene terephthalate, PET)、又は上記の組み合わせの粉体、顆粒、薄片等であることができ、例えば、透明パッケージ材、例えば、エチレンビニルアセテート(Ethylene Vinyl Acetate，EVA)、ポリオレフィン(polyolefin, PO)、ポリビニルブチラール(polyvinyl butyral , PVB)等の熱パッケージ材(thermal encapsulant)、又はＵＶ硬化接着剤(UV curable encapsulant)、又はシリコーン(Silicone)、又は上記の組み合わせであることができ、分離ギャップＧ中に充填される。暗色絶縁層は、分離ギャップＧに設置される透明パッケージ材に包まれる連続シート状絶縁体であることができ、ソーラーパネル１３０Ａ右側からソーラーパネル１３０Ｂ左側まで延伸する。提示すべきこととして、本実施例において、ソーラーパネル１３０Ａ、１３０Ｂの数量は、２つを例として説明を行い、従って、２つの隣り合うソーラーパネル１３０の間の分離ギャップＧは、ただ１つであることで説明する。当然ながら、本考案は、これに制限するものではない。
【００１９】
上記のように、本実施例において、ソーラーパネル１３０Ａ、１３０Ｂは、単多結晶シリコンソーラーパネルであることができる。ソーラーパネル１３０Ａ、１３０Ｂは、例えば、ケイ素(Si)、テルル化カドミウム(CdTe)、銅インジウムガリウムセレン(CIGS)又はその組み合わせを含む薄膜型ソーラーパネルである。更には、ソーラーパネル１３０Ａ、１３０Ｂは、例えば、光電変換層（図示せず）を設け、太陽光のエネルギーを電気エネルギーに変換する。そのうち、光電変換層は、例えば、銅(Cu)、インジウム (In)、ガリウム(Ga)及びセレン(Se)から構成される半導体材料であるか、Ib族元素、例えば、銅(Cu)又は銀(Ag)、IIIb族元素、アルミニウム(Al)、ガリウム(Ga)又はインジウム (In)及びVIb元素、例えば、硫黄(S)、セレン(Se)又はテルル(Te)から構成される化合物半導体材料を含むことができる。
【００２０】
図２は、本考案のもう１つの好適実施例のソーラーパネルモジュールの説明図である。図２を参考とし、本実施例のソーラーパネルモジュール２００は、図１で示されるソーラーパネルモジュール１００と相似するが、二者の差異は、以下にある：本実施例のソーラーパネルモジュール２００において、分離ギャップＧ中に配置される暗色絶縁層１４０と２つの隣り合うソーラーパネル１３０Ａ、１３０Ｂの少なくとも１つの辺縁の少なくとも一部分が重なり合う。本実施例において、暗色絶縁層１４０は、それぞれ２つの隣り合うソーラーパネル１３０Ａ、１３０Ｂと部分的に重なり合う。特に、暗色絶縁層１４０の一端１４０Ｅ１は、例えば、一部分がソーラーパネル１３０Ａの上縁に重なり合い、暗色絶縁層１４０の他端１４０Ｅ２は、例えば、一部分がもう１つのソーラーパネル１３０Ｂの下縁に重なり合う。また、暗色絶縁層１４０と２つの隣り合うソーラーパネル１３０Ａ、１３０Ｂの少なくとも１つの辺縁の少なくとも一部分を重なり合わせるため、暗色絶縁層１４０の幅Ｗ１は、例えば、２つの隣り合うソーラーパネル１３０間の距離Ｄより大きい。
【００２１】
図３は、更にもう１つの本考案の好適実施例のソーラーパネルモジュールの説明図である。図３を参考とし、本実施例のソーラーパネルモジュール３００は、図２で示されるソーラーパネルモジュール２００と相似し、二者の差異は、以下にある：本実施例のソーラーパネルモジュール３００において、２つの隣り合うソーラーパネル１３０Ａ、１３０Ｂの間の分離ギャップＧは、２つの暗色絶縁層１４０Ａ、１４０Ｂを設置する。そのうち、暗色絶縁層１４０Ｂは、ソーラーパネル１３０Ｂの上縁と接触し、もう１つの暗色絶縁層１４０は、もう１つのソーラーパネル１３０Ａの下縁と接触し、且つこの２つの暗色絶縁層１４０Ａ、１４０Ｂは、相互に重なり合う。特に、本実施例において、暗色絶縁層１４０Ａ、１４０Ｂの幅Ｗ２は、例えば、２つのソーラーパネル１３０Ａ、１３０Ｂの間の距離Ｄの２分の１より大きい。言い換えれば、各暗色絶縁層１４０Ａ、１４０Ｂは、対応するソーラーパネル１３０Ａ、１３０Ｂの一つの辺縁から分離ギャップＧまで延伸し、且つ分離ギャップＧにおける延伸距離は、２つのソーラーパネル１３０Ａ、１３０Ｂ間の距離Ｄの２分の１より大きい。このように、この２つの暗色絶縁層１４０Ａ、１４０Ｂは、分離ギャップＧ内で相互に重なり合う。
【００２２】
図４は、本考案の更にもう１つの好適実施例のソーラーパネルモジュールの説明図である。図４を参考とし、本実施例のソーラーパネルモジュール４００は、図３で示されるソーラーパネルモジュール３００と相似し、二者の差異は、以下にある：本実施例のソーラーパネルモジュール４００において、各暗色絶縁層１４０Ａ、１４０Ｂは、対応するソーラーパネル１３０Ａ、１３０Ｂと重なり合う。詳細に述べれば、暗色絶縁層１４０Ａの一端は、ソーラーパネル１３０Ａの一端の上縁の少なくとも一部分と重なり合う。同様に、暗色絶縁層１４０Ｂの一端は、ソーラーパネル１３０Ｂの一端の下縁の少なくとも一部分と重なり合う。また、暗色絶縁層１４０Ａ、１４０Ｂ中のソーラーパネルと重なり合わない一端は、互いに重なり合う。
【００２３】
図５は、本考案の好適実施例のソーラーパネルモジュールの説明図である。図５を参考とし、本実施例のソーラーパネルモジュール５００は、図４で示されるソーラーパネルモジュール４００と相似し、二者の差異は、以下にある：本実施例のソーラーパネルモジュール５００において、各暗色絶縁層１４０Ａ、１４０Ｂは、それぞれソーラーパネル１３０Ａ、１３０Ｂの両側に配置される。詳細に述べれば、暗色絶縁層１４０Ａの一端は、ソーラーパネル１３０Ａの一端の上縁の少なくとも一部分と重なり合う。暗色絶縁層１４０Ａの他端は、もう１つのソーラーパネル１３０Ｂの一端の上縁の少なくとも一部分と重なり合う。同様に、暗色絶縁層１４０Ｂの一端は、ソーラーパネル１３０Ａの一端の下縁の少なくとも一部分と重なり合い、暗色絶縁層１４０Ｂの他端は、もう１つのソーラーパネル１３０Ｂの一端の下縁の少なくとも一部分と重なり合う。そのうち、暗色絶縁層１４０Ａ、１４０Ｂは、互いに重なり合わない。図２〜図５の暗色絶縁層の配置方式は、分離ギャップＧ間に充填する透明パッケージ材を、暗色絶縁層の分けられた二辺に、大部分の体積をもたせ、これにより、その熱膨張の効果が略同じになり、更にその信頼性を向上させることを目的とする。
【００２４】
好適実施例において、ソーラーパネルモジュールは、分離ギャップに充填する透明パッケージ材を含むこともでき、該透明パッケージ材は、暗色絶縁層の分けられた二辺に大部分の体積をもたせる。
【００２５】
提示すべきこととして、本考案において、暗色絶縁層１４０の色は黒色又はその他の適当な暗色である。更に述べれば、本考案の暗色絶縁層１４０の色は、ソーラーパネル１３０の色と実質的に同じである。従って、暗色絶縁層１４０の色とソーラーパネル１３０の色が実質的同じであるものは、何れも本考案の精神と範疇に属し、本文は、この点において、如何なる制限も行わない。
【００２６】
上記のように、本考案は、２つの隣り合う該ソーラーパネルの間に少なくとも１つの暗色絶縁層を設置し、そのうち、該暗色絶縁層の色は、例えば、ソーラーパネルの色と実質的に同じである。このように、太陽電池は、動作の過程において、２つの隣り合うソーラーパネルの間に配置する暗色絶縁層の吸熱程度とソーラーパネルの吸熱程度の差異が大きくなく、太陽電池柱で局部的な熱応力の不均一により構造を劣化させる現象を招くことがない。従って、本考案のソーラーパネルモジュールは、従来技術の組み立て貼合関係の劣化又は剥離等の不良な状況が発生することがない。言い換えれば、本考案は、好適な構造接続関係及び信頼性を有する。連帯して比較的長い使用寿命を有する。
【００２７】
また、現在のソーラーパネルは一定の構造の厚さを有し、連帯して２つの隣り合うソーラーパネル間の暗色絶縁層が比較的大きな充填空間を有し、比較的大きな充填体積を有する。本考案は、２つの隣り合うソーラーパネルの間に暗色絶縁層を配置し、暗色絶縁層の色とソーラーパネルの色が実質的に同じであり、故に明らかに熱膨張冷凝縮の状況において、暗色絶縁層の吸熱程度とソーラーパネルの吸熱程度が依然として明らかな差異を有することがなく、従来技術の熱応力の不均一の現象を有することがなく、伴って、組み立て貼合関係の劣化又は剥離等の不良な状況が発生することがない。言い換えれば、本考案のソーラーパネルは、一定の構造の厚みを有し、且つ環境が明らかな熱膨張冷凝縮の状況においても依然として良好な構造接続関係及び信頼性を有し、太陽電池の使用寿命を大幅に延長することができる。
【００２８】
本考案は、目的、手段及び効果の何れについても、公知技術と異なる特徴を示しており、大きな飛躍である。注意すべき点として、上記実施例は、ただ本考案の原理及びその効果を例示的に説明するものであり、本考案の範囲を制限するものではない。当業者は、本考案の技術原理及び精神に背かずに、実施例に対して修正及び変更を行うことができる。本考案の権利保護範囲は、後述の特許請求の範囲記載されるとおりである。
【符号の説明】
【００２９】
１００      ソーラーパネルモジュール
１１０      蓋板
１２０      背面板
１３０      ソーラーパネル
１３０Ａ    ソーラーパネル
１３０Ｂ    ソーラーパネル
１４０      暗色絶縁層
１４０Ａ    暗色絶縁層
１４０Ｂ    暗色絶縁層
１４０Ｅ１  暗色絶縁層の端
１４０Ｅ２  暗色絶縁層の端
２００      ソーラーパネルモジュール
３００      ソーラーパネルモジュール
４００      ソーラーパネルモジュール
５００      ソーラーパネルモジュール
Ｇ          分離ギャップ
Ｄ          距離
Ｗ１        幅
Ｗ２        幅
【図１】
0003207808.tif 000003
【図２】
0003207808.tif 000004
【図３】
0003207808.tif 000005
【図４】
0003207808.tif 000006
【図５】
0003207808.tif 000007
【手続補正書】
【提出日】平成28年9月12日(2016.9.12)
【手続補正１】
【補正対象書類名】実用新案登録請求の範囲
【補正対象項目名】請求項６
【補正方法】変更
【補正の内容】
【請求項６】
前記分離ギャップに充填する透明パッケージ材を更に含み、且つ前記透明パッケージ材は、暗色絶縁層を基準に分けられた左右両側部分が略等しい体積を有する請求項１に記載のソーラーパネルモジュール。